(57)【要約】【課題】印刷物をきれいに表示することができるとともに、表示する印刷物の交換を簡単に行うことができ、さらに、結露等によって印刷物が損傷を受けたり、窓ガラス等に貼り付いて取れなくなることがない、窓ガラス等に貼着して使用する表示部材を提供すること。【解決手段】断熱材からなる枠形状部材２と、この枠形状部材２の窓ガラス１に貼着される側の面に形成された接着再剥離性を備えた粘着層３と、反対側の面に配設された合成樹脂板４とからなり、合成樹脂板４を枠形状部材２に脱着可能に配設することにより、合成樹脂板４、枠形状部材２及び窓ガラス１によって囲われた空間に印刷物収容部５を形成する。【選択図】図１
2014186304.tif 000002
【特許請求の範囲】
【請求項１】
窓ガラス等に貼着して使用する表示部材であって、断熱材からなる枠形状部材と、該枠形状部材の窓ガラス等に貼着される側の面に形成された接着再剥離性を備えた粘着層と、反対側の面に配設された合成樹脂板とからなり、合成樹脂板を枠形状部材に脱着可能に配設することにより、合成樹脂板、枠形状部材及び窓ガラス等によって囲われた空間に印刷物収容部を形成するようにしたことを特徴とする窓ガラス等に貼着して使用する表示部材。
【請求項２】
前記枠形状部材の厚さ方向の中間位置に、前記空間を区画する中間合成樹脂板を配設するようにしたことを特徴とする請求項１記載の窓ガラス等に貼着して使用する表示部材。
【請求項３】
前記枠形状部材の内法の大きさを、ＩＳＯ２１６の寸法のいずれかに合わせて形成してなることを特徴とする請求項１又は２記載の窓ガラス等に貼着して使用する表示部材。
【発明の詳細な説明】
【技術分野】
【０００１】
本発明は、窓ガラス等に貼着して使用する表示部材に関するものである。
【背景技術】
【０００２】
従来、窓ガラスに室内又は室外に向けて写真、ポスター等の印刷物（以下、本明細書において、単に、「印刷物」という。）を表示する場合、通常、接着テープや粘着テープを用いて印刷物を窓ガラスに直接貼り付けるようにしていた。
【０００３】
しかしながら、この表示方法は、接着テープや粘着テープが目立って、印刷物をきれいに表示することができなかったり、表示する印刷物の交換に手数を要したり、さらに、結露等によって印刷物が損傷を受けたり、窓ガラスに貼り付いて取れなくなるといった問題があった。
【発明の概要】
【発明が解決しようとする課題】
【０００４】
本発明は、上記従来の印刷物の表示方法が有する問題点に鑑み、印刷物をきれいに表示することができるとともに、表示する印刷物の交換を簡単に行うことができ、さらに、結露等によって印刷物が損傷を受けたり、窓ガラス等に貼り付いて取れなくなることがない、窓ガラス等に貼着して使用する表示部材を提供することを目的とする。
【課題を解決するための手段】
【０００５】
上記目的を達成するため、本発明の窓ガラス等に貼着して使用する表示部材は、窓ガラス等に貼着して使用する表示部材であって、断熱材からなる枠形状部材と、該枠形状部材の窓ガラス等に貼着される側の面に形成された接着再剥離性を備えた粘着層と、反対側の面に配設された合成樹脂板とからなり、合成樹脂板を枠形状部材に脱着可能に配設することにより、合成樹脂板、枠形状部材及び窓ガラス等によって囲われた空間に印刷物収容部を形成するようにしたことを特徴とする。
ここで、「窓ガラス等」とは、窓ガラスのほか、壁面等の印刷物を表示する表示面を有する部材を意味する。
また、「合成樹脂板」とは、板材のほか、シートやフィルムを含み、また、「接着再剥離性」とは、粘着再剥離性や吸着再剥離性を含むものとする。
【０００６】
この場合において、前記枠形状部材の厚さ方向の中間位置に、前記空間を区画する中間合成樹脂板を配設するようにすることができる。
【０００７】
また、前記枠形状部材の内法の大きさを、ＩＳＯ２１６の寸法のいずれかに合わせて形成することができる。
【発明の効果】
【０００８】
本発明の窓ガラス等に貼着して使用する表示部材によれば、合成樹脂板、枠形状部材及び窓ガラス等によって囲われた空間に形成した印刷物収容部に印刷物を挿入することにより、印刷物をきれいに表示することができるとともに、枠形状部材から合成樹脂板を脱着することにより、表示する印刷物の交換を簡単に行うことができ、さらに、印刷物収容部が断熱・閉鎖空間となることから、結露等によって印刷物が損傷を受けたり、窓ガラス等に貼り付いて取れなくなることを防止することができる。
また、印刷物収容部が断熱・閉鎖空間となることから、この貼着表示部材によって覆った部分の窓ガラス等の断熱性が向上し、室内の暖房や冷房の効果を高めることができるとともに、結露を防止することができる。
【０００９】
また、前記枠形状部材の厚さ方向の中間位置に、前記空間を区画する中間合成樹脂板を配設するようにすることにより、中間合成樹脂板によって区画された空間を形成し、これらの空間を印刷物収容部や遮断空間とすることによって、印刷物収容部の断熱・閉鎖性を一層向上することができる。
【００１０】
また、前記枠形状部材の内法の大きさを、ＩＳＯ２１６の寸法のいずれかに合わせて形成することにより、ＩＳＯ２１６の寸法の印刷物を隙間が生じることなくきれいに表示することができる。
【図面の簡単な説明】
【００１１】
【図１】本発明の窓ガラス等に貼着して使用する表示部材の一実施例を示し、（ａ）は、同表示部材を窓ガラスに貼着した状態を示す斜視図、（ｂ）は同断面図である。
【図２】本発明の窓ガラス等に貼着して使用する表示部材の変形実施例を示す、表示部材を窓ガラスに貼着した状態を示す断面図である。
【発明を実施するための形態】
【００１２】
以下、本発明の窓ガラス等に貼着して使用する表示部材の実施の形態を、窓ガラスに貼着して使用する場合を例に挙げて、図面に基づいて説明する。
【００１３】
図１に、本発明の窓ガラス等に貼着して使用する表示部材の一実施例を示す。
この窓ガラス等に貼着して使用する表示部材Ｆは、窓ガラス１に貼着して使用するもので、断熱材からなる枠形状部材２と、この枠形状部材の窓ガラス１に貼着される側の面に形成された接着再剥離性を備えた粘着層３と、反対側の面に配設された合成樹脂板４とからなり、合成樹脂板４を枠形状部材２に脱着可能に配設することにより、合成樹脂板４、枠形状部材２及び窓ガラス１によって囲われた空間に印刷物収容部５を形成するようにしている。
【００１４】
この場合において、断熱材からなる枠形状部材２には、発泡したポリウレタン樹脂、ポリスチレン樹脂、ポリオレフィン樹脂等の合成樹脂や木材、さらには、これらを積層した複合材等の断熱性を備えた材料からなる、幅が数ｍｍ〜数十ｍｍ、好ましくは、５〜３０ｍｍ程度、厚さが０．５ｍｍ〜１０ｍｍ程度、好ましくは、１ｍｍ〜５ｍｍ程度の枠形状に一体成形したものや帯状の部材を組み合わせて形成したものを用いることができる。
なお、表示部材Ｆの用途が、引き違い戸の向かい合う窓ガラス１の面に貼付して使用するものの場合には、引き違い戸の開閉を支障なく行うことができるように、枠形状部材２を含む表示部材Ｆの全体の厚さを、５ｍｍ以下程度になるようにすることが好ましい。
また、この枠形状部材２は、白色等の任意の色に着色したもの、素材（木材）の色合いを生かしたもの、半透明又は透明のもの等を用いることができる。
【００１５】
枠形状部材２の形状は、矩形のほか、角部にＲ（アール）やＣ（面取り）を付けた矩形、多角形、円形、楕円形等、任意の形状に形成することができ、また、必要に応じて、例えば、外縁形状を模様形状等の意匠性のある形状に形成することもできる。
この場合、枠形状部材２の内法の大きさを、ＩＳＯ２１６の寸法（・・・Ａ４、Ａ５、Ａ６・・・、・・・Ｂ４、Ｂ５、Ｂ６・・・）のいずれかに合わせて形成することにより、ＩＳＯ２１６の寸法の印刷物６を隙間が生じることなくきれいに表示することができる。
【００１６】
本実施例において、枠形状部材２は、印刷物収容部５が刳り貫かれた形状（枠のみの無底形状）に形成されている。これにより、必要に応じて、室内又は室外に向けて、さらには、室内及び室外の両方に向けて、印刷物６を表示することができる。
なお、枠形状部材２は、窓ガラス１に室内に向けて印刷物６を表示する用途の場合には、印刷物収容部５を形成した有底形状に形成することもできる。
また、印刷物収容部５内に収容した印刷物６が移動しないように、枠形状部材２と同様の断熱材で形成したバックアップ材（図示省略）を、印刷物６の背面に配設することもできる。
【００１７】
接着再剥離性を備えた粘着層３には、アクリル系、シリコン系等の粘着剤（粘着テープを含む。）や吸着性を有する発泡樹脂シート片を用いることができる。
粘着層３には、無色透明のもののほか、着色したもの、半透明又は透明でないもの等を用いることができる。
【００１８】
合成樹脂板４には、アクリル樹脂、ポリカーボネート樹脂、塩化ビニル樹脂、ポリオレフィン樹脂等の材料からなる、厚さ０．１ｍｍ〜数ｍｍ程度、好ましくは、０．５ｍｍ〜１ｍｍ程度の硬質又は軟質の合成樹脂製の板材（シートやフィルムを含む。以下、同じ。）を用いることができる。
また、この合成樹脂板４には、無色透明のもののほか、印刷物６の表示方向や表示する印刷物６等に応じて、着色したもの、半透明（スモーク）又は透明でないもの、さらには、鏡面処理等の表面処理したもの、紫外線吸収剤等の機能性材料を付加したもの等を用いることができる。
【００１９】
合成樹脂板４を枠形状部材２に脱着可能に配設する手段としては、アクリル系、シリコン系等の粘着剤（粘着テープを含む。）や吸着性を有する発泡樹脂シート片を用いて、合成樹脂板４を枠形状部材２に接着再剥離可能に配設する方法を好適に採用することができる。
この場合、印刷物収容部５に印刷物６を収容したり、印刷物６を交換するために、枠形状部材２に対して合成樹脂板４の全体を脱着するようにしたり、合成樹脂板４の一部のみを脱着するようにすることができる。そして、剛性が高い合成樹脂板４の場合には、合成樹脂板４の一部のみを脱着する際の操作を簡易に行うことができるように、合成樹脂板４の脱着する箇所の境界部に合成樹脂板４の肉厚を薄く形成する等による可撓部を形成することができる。
また、合成樹脂板４と枠形状部材２との接着強度を、粘着層３による枠形状部材２と窓ガラス１との接着強度よりも小さくなるようにすることが好ましい。
【００２０】
なお、合成樹脂板４を枠形状部材２に脱着可能に配設する手段としては、接着再剥離可能に配設する方法のほか、磁石の吸着力を利用する方法、具体的には、枠形状部材２と合成樹脂板４の対応する面に、吸着し合う磁石（又は磁性体）を配設する方法等、任意の方法を採用することができる。
【００２１】
この窓ガラス等に貼着して使用する表示部材Ｆによれば、合成樹脂板４、枠形状部材２及び窓ガラス１によって囲われた空間に形成した印刷物収容部５に印刷物６を挿入することにより、印刷物６をきれいに表示することができるとともに、枠形状部材２から合成樹脂板４を脱着することにより、表示する印刷物６の交換を簡単に行うことができ、さらに、印刷物収容部５が断熱・閉鎖空間となることから、結露等によって印刷物６が損傷を受けたり、窓ガラス１に貼り付いて取れなくなることを防止することができる。
また、印刷物収容部５が断熱・閉鎖空間となることから、この表示部材Ｆによって覆った部分（形状の大きな表示部材Ｆを使用したり、複数の表示部材Ｆを並設して使用したりすることにより、当該部分の面積を大きくすることができる。）の窓ガラス１の断熱性が向上し、室内の暖房や冷房の効果を高めることができるとともに、結露を防止することができる。
【００２２】
ところで、上記実施例においては、合成樹脂板４、枠形状部材２及び窓ガラス１によって囲われた空間全体を印刷物収容部５としたが、図２に示す本発明の窓ガラス等に貼着して使用する表示部材の変形実施例のように、枠形状部材２の厚さ方向の中間位置に、合成樹脂板４、枠形状部材２及び窓ガラス１によって囲われた空間を区画する中間合成樹脂板７を配設することにより、中間合成樹脂板７によって区画された２つの空間（又は中間合成樹脂板７を複数枚間隔を隔てて配設することにより３つ以上の空間）を形成し、これらの空間のうちのいずれか、例えば、室内側の空間を印刷物収容部５とし、室外側の空間を遮断空間８（この遮断空間８を印刷物収容部とすることもできる。）とすることができる。
この場合において、中間合成樹脂板７を配設するに当たっては、図２（ａ）に示すように、枠形状部材２を、枠形状部材２ａと枠形状部材２ｂとに分割して構成し、両枠形状部材２ａ、２ｂ間に中間合成樹脂板７を配設して接着等によって一体化するようにしたり、図２（ｂ）に示すように、枠形状部材２に段部や溝を形成し、段部や溝に中間合成樹脂板７を嵌め込むように配設して接着等によって一体化するようにすることができる。
これにより、印刷物収容部５の断熱・閉鎖性を一層向上することができ、また、必要に応じて、中間合成樹脂板７に、着色したもの、半透明（スモーク）又は透明でないもの、さらには、鏡面処理等の表面処理したもの、紫外線吸収剤等の機能性材料を付加したもの等を用いることにより、意匠性を高めたり、表示している印刷物６の耐久性を高めたり、室内及び室外の両方に向けて印刷物６をそれぞれ表示することができる。
【００２３】
以上、本発明の窓ガラス等に貼着して使用する表示部材について、その実施例に基づいて説明したが、本発明は上記実施例に記載した構成に限定されるものではなく、また、表示部材Ｆを貼着する対象も、窓ガラスに限定されず、壁面等の印刷物を表示する表示面を有する部材に広く適用することができる等、その趣旨を逸脱しない範囲において適宜その構成を変更することができるものである。
【産業上の利用可能性】
【００２４】
本発明の窓ガラス等に貼着して使用する表示部材は、印刷物をきれいに表示することができるとともに、表示する印刷物の交換を簡単に行うことができ、さらに、結露等によって印刷物が損傷を受けたり、窓ガラスに貼り付いて取れなくなることがないという特性を有していることから、窓ガラスに室内又は室外に向けて印刷物を表示する用途に広く用いることができるほか、壁面等に印刷物を表示する用途にも用いることができる。
【符号の説明】
【００２５】
Ｆ  表示部材
１  窓ガラス
２  枠形状部材
２ａ  枠形状部材
２ｂ  枠形状部材
３  粘着層
４  合成樹脂板
５  印刷物収容部
６  印刷物
７  中間合成樹脂板
８  遮断空間
【図１】
2014186304.tif 000003
【図２】
2014186304.tif 000004